(57)【要約】【課題】  高い接合強度を維持しつつ接続部材の簡略化を図ることが可能な横架材の接続構造を提供することを課題とする。【解決手段】  構造部材たる土台１８０の側面に固定される接続部材４６と、この接続部材４６を介して土台１８０に接続される横架材たる大引４１とを備える横架材の接続構造において、大引４１を断面中空の押出形材で形成するとともに、その端部の下面に接続部材４６を挿入可能な開口部を形成し、大引４１の端部を接続部材４６に覆い被せ、接続部材４６の上端面を大引４１の内部の上面に当接させる。【選択図】      図２２
2004339923.tif 000002
【特許請求の範囲】
【請求項１】
構造部材の側面に固定される接続部材と、
当該接続部材を介して前記構造部材に接続される横架材とを備える横架材の接続構造であって、
前記横架材は、断面中空の形材からなり、且つ、その端部の下面に前記接続部材を挿入可能な開口部が形成されており、
前記接続部材は、前記横架材の内部に挿入されており、前記接続部材の上端面が前記横架材の内部の上面に当接していることを特徴とする横架材の接続構造。
【請求項２】
前記接続部材の外面が前記横架材の内部の側面に当接していることを特徴とする請求項１に記載の横架材の接続構造。
【請求項３】
前記接続部材は、前記構造部材の側面に固定される当接板と、当該当接板に垂設された一対の張出板とを備えていることを特徴とする請求項２に記載の横架材の接続構造。
【請求項４】
前記接続部材は、前記両張出板の先端同士を連結する連結板を備えていることを特徴とする請求項３に記載の横架材の接続構造。
【請求項５】
前記接続部材は、アルミニウム合金製の押出形材からなることを特徴とする請求項３又は請求項４に記載の横架材の接続構造。
【請求項６】
前記構造部材が土台であり、前記横架材が大引であることを特徴とする請求項１乃至請求項５のいずれか一項に記載の横架材の接続構造。
【請求項７】
前記横架材がアルミニウム合金製の押出形材からなることを特徴とする請求項１乃至請求項６のいずれか一項に記載の横架材の接続構造。
【発明の詳細な説明】
【技術分野】
【０００１】
本発明は、横架材の接続構造に関する。
【背景技術】
【０００２】
特許文献１には、構造部材たる土台の側面に固定された接続部材に横架材たる大引を接続してなる横架材の接続構造が開示されている。この接続部材は、土台の側面に固定される当接板と、この当接板に垂設された一対の張出板と、この一対の張出板の下端同士を連結する底板とを備えており、大引の端部が一対の張出板の間に挿入されており、且つ、大引の底面が接続部材の底板に載置されている。
【０００３】
【特許文献１】実開平６−２８０７１号公報（全頁）
【発明の開示】
【発明が解決しようとする課題】
【０００４】
ところで、前記した接続部材は、複数の板材を溶接等により接合して形成する必要があるため、加工に手間を要するという問題があり、さらには、加工精度にばらつき生じやすいという問題がある。
【０００５】
また、特許文献１には、底板を省略した接続部材も開示されているが、かかる接続部材を使用した場合には、その加工は容易になるものの、張出板から螺入されたネジのせん断耐力のみで大引に作用する鉛直荷重に抵抗しなければならないため、接合強度が低いという問題がある。
【０００６】
なお、このような問題は、接続部材を介して大引を土台に接続する場合に限らず、接続部材を介して梁材等の横架材を柱材や壁体等の構造部材に接続する場合に共通して当てはまる問題である。
【０００７】
そこで、本発明は、構造部材の側面に固定される接続部材と、当該接続部材を介して前記構造部材に接続される横架材とを備える横架材の接続構造であって、高い接合強度を維持しつつ接続部材の簡略化を図ることが可能な横架材の接続構造を提供することを課題とする。
【課題を解決するための手段】
【０００８】
このような課題を解決するために、本発明は、構造部材の側面に固定される接続部材と、当該接続部材を介して前記構造部材に接続される横架材とを備える横架材の接続構造であって、前記横架材は、断面中空の形材からなり、且つ、その端部の下面に前記接続部材を挿入可能な開口部が形成されており、前記接続部材は、前記横架材の内部に挿入されており、前記接続部材の上端面が前記横架材の内部の上面に当接していることを特徴とする。
【０００９】
このような横架材の接続構造によると、接続部材の上端面に横架材の内部の上面が載置されることになるので、鉛直荷重に対して高い抵抗力を発揮することになる。つまり、接続部材に横架材の底面を支持する底板を設けなくとも、横架材を確実に支持することが可能となり、さらに、底板が不要であるが故に接続部材の簡略化を図ることが可能となる。
なお、構造部材とは、土台、大引、梁材、柱材、壁材など鉛直荷重あるいは水平荷重に抗する部材を意味し、横架材とは、大引や梁材など主として水平荷重に抗する部材を意味する。
【００１０】
また、本発明に係る横架材の接続構造においては、前記接続部材の外面が前記横架材の内部の側面に当接しているものであってもよい。
【００１１】
このようにすると、横架材の横方向への移動が拘束されるため、横架材の長手方向に直交する方向に作用する水平荷重に対しても高い抵抗力を発揮することになる。
【００１２】
さらに、本発明に係る横架材の接続構造においては、前記接続部材は、前記構造部材の側面に固定される当接板と、当該当接板に垂設された一対の張出板とを備えているものであってもよい。
【００１３】
このような接続部材を用いると、その構成が簡略であるが故に、製作コストの低廉化を図ることが可能となる。
【００１４】
また、本発明に係る横架材の接続構造においては、前記接続部材は、前記両張出板の先端同士を連結する連結板を備えているものであってもよい。
【００１５】
このようにすると、接続部材を板材で構成した場合であっても、横架材の長手方向に直交する方向に作用する水平荷重に対して高い抵抗力を発揮することになる。
【００１６】
また、本発明に係る横架材の接続構造においては、前記接続部材をアルミニウム合金製の押出形材で構成してもよく、さらには、前記横架材をアルミニウム合金製の押出形材で構成してもよい。
【００１７】
このようにすると、接続部材あるいは横架材の製造コストの低廉化を図ることが可能となり、さらに、強度の割に軽いアルミニウム合金製の押出形材であるが故に、現場での取り回しが容易になり、しかも、白蟻の食害を受けず、湿気の多い床下空間に面していても腐朽しないため、耐久性の高い建築物を構築することができる。さらに、加工精度が高く、断面寸法の経年変化もないため、接続部分にひずみを生じさせることもない。
【発明の効果】
【００１８】
本発明に係る横架材の接続構造によると、高い接合強度を維持しつつ接続部材の簡略化を図ることが可能となる。
【発明を実施するための最良の形態】
【００１９】
本発明の実施の形態を、添付した図面を参照して詳細に説明する。なお、同一要素には同一の符号を付し、重複する説明は省略する。
【００２０】
図１は実施形態に係る建築物の軸組の一例を示す斜視図、図２は図１の平面図である。
【００２１】
本実施形態に係る建築物は、図１に示すように、基礎Ｋの上面に配設される土台１０と、この土台１０に立設される複数の柱材３０と、対向する一対の土台１０，１０間に架設される複数の横架材４０とを主要部として構成され、洋室１と和室２と廊下３とを有している。また、土台１０の上面には、取付部材２０が固定されており、この取付部材２０を利用して柱材３０が土台１０に立設固定されている。
ここで、柱材３０とは、通し柱３１、管柱３２、間柱３３および筋交３４の総称であり、横架材４０とは、図２に示す大引４１および根太４２の総称である。
【００２２】
以下、構成要素ごとに詳細に説明する。ここで、図３乃至図９は実施形態に係る建築物の土台廻り構造を示す図であって、図３は土台と取付部材とを示す斜視図、図４（ａ）は取付部材の断面図、図４（ｂ）は土台の断面図、図５は大引および柱材の取付状態を示す斜視図、図６は筋交の取付状態を示す斜視図、図７（ａ）は図５の拡大斜視図、図７（ｂ）は大引を示す斜視図、図８は壁面材の取付状態を示す斜視図、図９は床仕上材の取付状態を示す斜視図である。
【００２３】
土台１０は、長尺のアルミニウム合金製の押出形材からなり、図３および図４（ｂ）に示すように、上板１１、下板１３と、これらを鉛直方向に連結する左右の側板１２，１２とで略矩形（長方形）断面に形成されている。また、土台１０は、内部が中空であるため非常に軽量であり、さらに上板１１と下板１３とが中間部分において隔壁板１４，１４で連結されているので、鉛直荷重に強い断面構造となっている。
【００２４】
側板１２には、その下端縁から水平に張り出す張出部１５および中間部から水平に張り出す中間張出部１６が土台１０の長手方向に沿って形成されている。すなわち、土台１０の両側面に長手方向に沿って張出部１５，１５および中間張出部１６，１６が形成されている。
【００２５】
上板１１には、図４（ｂ）に示すように、その上面側に土台１０の長手方向に沿って凹溝１７が二条形成されている。凹溝１７，１７は、互いに平行に形成されており、後記する取付部材２０の固定板２１の下面側に形成された凸条２３，２３（図４（ａ）参照）と互いに係合する。
【００２６】
また、土台１０には、基礎Ｋから突出するアンカーボルトｂ１（図５参照）を挿通するためのボルト挿通孔（図示せず）が適宜な位置に形成されている。
【００２７】
土台１０は、図５に示すように、基礎Ｋの上面の柱取付部および後述するアンカーボルト取付部を中心に適宜な間隔で配置した土台スペーサＳの上面に載置され、土台１０の上面に取付部材２０を載置した後に、アンカーボルトｂ１をナットＮで締結することにより基礎Ｋと固定される。なお、このアンカーボルトｂ１は、柱取付位置の近傍や土台の接合部に適数本配設される。
なお、土台スペーサＳにより、基礎Ｋの上面と土台１０の下面との間に隙間が形成され、当該隙間が床下通気孔として機能するので、基礎Ｋに床下通気孔を欠き込み形成する必要はない。
【００２８】
取付部材２０は、長尺のアルミニウム合金製の押出形材からなり、図３および図４（ａ）に示すように、固定板２１と、この固定板２１の側端縁から立設する左右の取付板２２，２２とで構成されている。また、固定板２１には、その下面側に取付部材２０の長手方向に沿って凸条２３，２３が形成されている。
【００２９】
そして、取付部材２０は、土台１０の上面に載置され、固定板２１の上面に突出したアンカーボルトｂ１をナットＮで締結することにより、土台１０に固定される。また、取付部材２０は、凸条２３，２３を土台１０の上板１１に形成された凹溝１７，１７に係合させるだけで、位置決めがなされる。したがって、施工が容易で、かつ、取付誤差もない。
【００３０】
また、取付部材２０は、必要長さで必要箇所に取り付ければよいが、図５に示すように、土台１０の長手方向に沿って配設すれば、複数の柱材を１つの取付部材２０で取り付けることができる。すなわち、柱材ごとに取付部材２０を取り付ける必要がないので、施工性が良い。
【００３１】
通し柱３１、管柱３２および間柱３３は、それぞれ木製の角材からなり、その下端部には二つのスリット（図５に示す間柱３３のスリット３３ａ，３３ａを参照）が鉛直方向に形成されている。この二つのスリットの間隔は、取付部材２０の取付板２２，２２の間隔と等しい。すなわち、通し柱３１、管柱３２および間柱３３は、その下端部が取付部材２０の取付板２２，２２に外挿可能であり、取付部材２０を介して土台１０に立設される。
【００３２】
図５に示す間柱３３でより詳細に説明する。間柱３３は、その下端部を取付部材２０の取付板２２に外挿し、取付板２２のピン孔２２ａと間柱３３のピン孔３３ｂとを合わせた後に、ピン孔３３ｂに結合ピン（ドリフトピン）ｄ１を打ち込むことで取付部材２０に固定される。すなわち、間柱３３のスリット３３ａに取付板２２が挿入された状態で土台１０に立設固定される。
また、間柱３３は、その下端部を取付部材２０の取付板２２に外挿するだけで左右方向の位置決めがなされるので施工性がよく、かつ、取付精度も高い。
【００３３】
筋交３４は、木製の角材からなるが、図６に示すように、その下端部にスリット３４ａが鉛直方向に形成されている。すなわち、筋交３４は、その下端部が取付部材２０の取付板２２に外挿可能であり、取付部材２０を介して土台１０に立設される。すなわち、筋交３４は、その下端部を取付部材２０の取付板２２に外挿し、側方からラグスクリューｂ６（図１１（ｂ）参照）を打ち込むかドリフトピンを打ち込むことで取付部材２０に固定される。
【００３４】
大引４１は、長尺のアルミニウム合金製の中空押出形材からなり、図５に示すように、矩形断面となっている。また、図７に示すように、大引４１の端部には、その高さ方向の中央部にスリット４１ａが水平方向に形成されており、大引４１を土台１０の張出部１５の上面に載置すると、土台１０の中間張出部１６がスリット４１ａに挿入される。
【００３５】
大引４１を土台１０，１０間に架設するには、大引４１を土台１０の張出部１５に載置し、大引４１の位置決めをした後に、中間張出部１６の大引４１の側面に隣接する部位（図７中の符号１６ａ）をかしめて大引４１を固定すればよい。このとき、スリット４１ａに土台１０の中間張出部１６が挿入される。すなわち、大引４１は、その下面が張出部１５に支持され、中央部が中間張出部１６に支持される。
【００３６】
このように、大引４１の高さ方向の位置決めは、大引４１を土台１０の張出部１５に大引４１を載置するだけでよいので、施工性がよい。また、張出部１５は土台１０の長手方向に沿って形成されているので、複数の大引４１を取り付けたときに、それらの上面が面一になる。したがって、大引４１の上面に配設される根太４２や合板７１（図１０（ａ）参照）の取付精度も向上し、結果としてゆがみの小さい建築物を構築することができる。
【００３７】
根太４２は、本実施形態では、木製の角材からなるが、大引４１と同様にアルミニウム合金製の中空押出形材を利用してもよい。また、根太４２の両端は、土台１０の中間張出部１６の上面に載置され、土台１０側面にラグスクリューｂ８などで固定されたブラケットたる根太受材４３（図１２参照）に支持固定される。また、根太４２は、根太受材４３の上に載置され、ラグスクリューｂ３などで固定される。すなわち、根太４２は、根太受材４３を介して土台１０の中間張出部１６に支持されている。なお、図示は省略するが、根太受材４３は、土台１０の長手方向に沿って配置される。
なお、洋室１においては、図２に示すように、根太４２は、大引４１と直交して配置される。
【００３８】
そして、前記した土台１０、取付部材２０、柱材３０、横架材４０、さらには壁面材や床仕上材などを間取りに合わせて適宜組み立てることで本実施形態に係る建築物が構築される。以下、洋室１、和室２および廊下３の具体的な構成について、図２及び図１０乃至図１２を参照して説明する。
【００３９】
ここで、図１０は洋室と和室との境界に配設された土台廻り構造を示す断面図であって、図１０（ａ）は図２のＡ−Ａ断面図、図１０（ｂ）は（ａ）の他の例を示す断面図である。また、図１１および図１２（ａ）は洋室と屋外との境界に配設された土台廻り構造を示す断面図であって、図１１（ａ）は図２のＢ１−Ｂ１断面図、図１１（ｂ）は同じく図２のＢ２−Ｂ２断面図、図１２（ａ）は同じく図２のＤ１−Ｄ１断面図である。また、図１２（ｂ）は廊下と屋外との境界に配設された土台廻り構造を示す断面図であって、図２のＥ−Ｅ断面図である。
【００４０】
洋室１は、図２に示すように、複数の大引４１と、これら大引４１と直交する方向に配設された複数の根太４２と、これら根太４２の上面に積層された合板７３および床仕上材７４（図１０（ａ）参照）とで床が構成され、土台１０に適宜な間隔で立設された通し柱３１、管柱３２、間柱３３および筋交３４と、これらの室内側に覆設された壁面材６２（図１０参照）および屋外側に覆設された壁面材６３（図１１（ａ）（ｂ）参照）とで壁が構成されている。また、大引４１の端部は、洋室１と和室２との境界に配設される土台１０（１０Ａ）およびこれに対向する土台１０（１０Ｂ）に支持固定され、根太４２の端部は、土台１０Ａ，１０Ｂと直交する土台１０Ｄ，１０Ｆに根太受材４３（図１２（ａ）参照）を介して支持固定される。なお、室内と屋外の境界（図２中の下側）は、掃出し窓１ａになっている。
【００４１】
和室２は、複数の大引４１と、これらの上面に積層された合板７１および畳７２（図１０（ａ）参照）とで床が構成され、土台１０に適宜な間隔で立設された通し柱３１、管柱３２、間柱３３および筋交３４と、これらの室内側に覆設される壁面材６１（図１０（ａ）参照）および屋外側に覆設された壁面材（図示せず）とで壁が構成されている。また、大引４１の端部は、洋室１と和室２との境界に配設される土台１０（１０Ａ）およびこれに対向する土台１０（１０Ｃ）に支持固定される。なお、室内と屋外の境界（図２中の下側）は、掃出し窓２ａになっている。
【００４２】
廊下３は、複数の根太４２と、その上面に積層された合板７３および床仕上材７４（図１２参照）とで床が構成され、土台１０に立設された通し柱３１、管柱３２、間柱３３および筋交３４と、これらの室内側に覆設された壁面材６２および屋外側に覆設された壁面材６３（図１２（ｂ）参照）とで壁が構成されている。また、根太４２の端部は、対向する一対の土台１０（１０Ｅ）、１０（１０Ｆ）に支持固定される。また、図１２（ｂ）に示すように、根太４２の端部は、土台１０の中間張出部１６の上面に根太受材４３を介して支持固定される。
【００４３】
次に、本実施形態に係る建築物の土台廻りの構造を、図５乃至図１２を参照して詳細に説明する。
【００４４】
（洋室と和室との境界）
洋室１と和室２との境界部に配設される土台１０（１０Ａ）には、図５および図１０（ａ）に示すように、張出部１５，１５に洋室１側の大引４１および和室２側の大引４１がそれぞれ載置されている。このとき、中間張出部１６は大引４１のスリット４１ａに嵌入されている。
【００４５】
土台１０（１０Ａ）の上面に取付部材２０が取り付けられ、取付部材２０の取付板２２，２２に複数の柱材（図１０（ａ）では管柱３２）が適宜な間隔で配設され、ドリフトピンｄ１により固定されている。また、図８および図１０（ａ）に示すように、取付板２２には、壁面材６１，６２の下端部が受け木５１を介してラグスクリューｂ２により固定されている。なお、ラグスクリューのほか、ドリルビスなどで固定しても勿論よい（以下、同じ）。また、壁面材６１，６２は、大引４１の上面に載置するだけで、その高さ方向の位置決めがなされるので、その取付作業が容易である。なお、壁面材６１，６２は、合板、石膏ボード、断熱材などが一体化されたパネル材などである。
【００４６】
また、洋室１側では、壁面材６２の下端部に沿って根太４２が配設され、ラグスクリューｂ３で大引４１に固定されている。また、図９および図１０（ａ）に示すように、根太４２の上面には、合板７３と床仕上材７４とが積層されている。なお、図示は省略するが、合板７３は根太４２に固定されている。また、和室２側では、大引４１の上面に合板７１と畳７２とが積層されている。合板７１はラグスクリューｂ４により大引４１に固定されている。
【００４７】
なお、洋室１と和室２との境界に襖を設ける場合には、図１０（ｂ）に示すように、土台１０の上面に受け木７５と敷居７６とを積層する。
【００４８】
（洋室と屋外との境界１）
洋室１と屋外との境界部に配設される土台１０（１０Ｂ）には、図１１（ａ）（ｂ）に示すように、張出部１５に洋室１側の大引４１が載置されている。このとき、中間張出部１６は大引４１のスリット４１ａに嵌入されている。また、屋外側の中間張出部１６に壁面材６３が載置され、その下端部が土台１０の側面（側板１２）にラグスクリューｂ７により固定されている。なお、壁面材６３は、土台１０の中間張出部１６に載置するだけでその高さ方向の位置決めがなされるので、その取付作業が容易である。
【００４９】
土台１０（１０Ｂ）の上面に取付部材２０が取り付けられ、取付部材２０の取付板２２，２２に複数の柱材が適宜な間隔で配設され、図１１（ａ）に示すように、間柱３３（通し柱３１および管柱３２も同様）はドリフトピンｄ１により取付板２２に固定され、図１１（ｂ）に示すように、筋交３４はラグスクリューｂ６またはドリフトピンにより取付板２２に固定されている。また、筋交３４の下端部は、取付部材２０の屋外側の取付板２２に外挿されている。さらに、取付板２２には、壁面材６２の下端部が受け木５１を介してラグスクリューｂ２により固定されている。
【００５０】
また、洋室１側では、壁面材６２の下端部に沿って根太４２が配設され、ラグスクリューｂ３により大引４１に固定され、根太４２上に合板７３と床仕上材７４とが積層されている。なお、図示は省略するが、合板７３は根太４２に固定されている。
【００５１】
（洋室と屋外との境界２）
洋室１と屋外との境界部に配設される土台１０であって、掃出し窓１ａ（図２参照）に配設される土台１０（１０Ｄ）には、図１２（ａ）に示すように、中間張出部１６に長手方向に沿って根太受材４３が載置され、ラグスクリューｂ８により土台１０の側面（側板１２）に固定されている。すなわち、根太受材４３は、その下面が中間張出部１６に支持されている。
【００５２】
根太受材４３の上面に、土台１０と直交する方向に根太４２が載置され、ラグスクリューｂ３により根太受材４３に固定されている。すなわち、根太４２の端部は、根太受材４３を介して中間張出部１６に支持されている。
【００５３】
また、土台１０の上面に窓台７７が取り付けられ、窓台７７の上面にはスペーサ７８が固定され、根太４２の上面とスペーサ７８の上面に合板７３と床仕上材７４とが積層されている。
【００５４】
また、合板７３、床仕上材７４およびスペーサ７８の側端は、窓台７７の側端面よりも洋室１側に位置しており、窓台７７の上面には半外付けサッシ７９が取り付けられている。
【００５５】
（廊下と屋外との境界）
廊下３と屋外との境界部に配設される土台１０（１０Ｅ）には、図１２（ｂ）に示すように、中間張出部１６に長手方向に沿って根太受材４３が載置され、ラグスクリューｂ８により土台１０の側面（側板１２）に固定されている。また、屋外側の中間張出部１６に壁面材６３が載置され、その下端部が土台１０の側面（側板１２）にラグスクリューｂ７により固定されている。
【００５６】
土台１０（１０Ｅ）の上面に取付部材２０が取り付けられ、取付部材２０の取付板２２，２２に複数の柱材（図１２（ｂ）では筋交３４）が適宜な間隔で固定されている。また、取付板２２には、壁面材６２の下端部が受け木５１を介してラグスクリューｂ２により固定されている。
【００５７】
根太受材４３の上面に、土台１０と直交する方向に根太４２が載置され、ラグスクリューｂ３により根太受材４３に固定されている。すなわち、根太４２の端部は、根太受材４３を介して中間張出部１６に支持されている。また、根太４２上に合板７３と床仕上材７４とが積層されている。
【００５８】
以上のように、本実施形態に係る建築物によると、土台１０利用して大引４１、根太受材４３、根太４２などの様々な部材を精度よく、かつ、簡単に取り付けることができる。さらには、取付部材２０を利用して通し柱３１、管柱３２、間柱３３、筋交３４、壁面材６１，６２，６３などの様々な部材を精度よく、かつ、簡単に取り付けることができる。
【００５９】
また、土台１０および取付部材２０は、強度の割に軽いアルミニウム合金製の押出形材からなるため、現場での取り回しが容易である。しかも、土台１０および取付部材２０が白蟻の食害を受けず、湿気の多い床下空間に面していても腐朽しないため、耐久性の高い建築物を構築することができる。さらに、土台の断面寸法の経年変化がなく、加工精度が高いため、建築物にひずみを生じさせることもない。
【００６０】
＜変形例１＞
前記の土台１０および取付部材２０に替えて、図１３に示す土台１１０および取付部材１２０により土台廻りの構造を構築してもよい。
【００６１】
土台１１０は、長尺のアルミニウム合金製の押出形材からなり、図１３および図１４（ｂ）に示すように、上板１１１、下板１１３と、これらを鉛直方向に連結する左右の側板１１２，１１２とで略矩形（長方形）断面に形成されている。また、土台１１０は、内部が中空であるため非常に軽量であり、さらに上板１１１と下板１１３とが中間部分において隔壁板１１４，１１４で連結されているので、鉛直荷重に強い断面構造となっている。
【００６２】
側板１１２には、その下端縁から水平に張り出す張出部１１５が土台１１０の長手方向に沿って形成されている。すなわち、土台１１０の両側面に長手方向に沿って張出部１１５，１１５が形成されている。また、側板１１２の上端部は、上板１１１よりも上方に突出するとともに、内側に曲げられ、長手方向に沿って横向きに開口する嵌合溝１１６になっている。
【００６３】
取付部材１２０は、長尺のアルミニウム合金製の押出形材からなり、図１３および図１４（ａ）に示すように、固定板１２１と、この固定板１２１から立設する取付板１２２とで断面逆Ｔ字形状に形成されている。
【００６４】
そして、土台１１０の嵌合溝１１６，１１６に取付部材１２０の固定板１２１の側端部分を嵌合することで、取付部材１２０が土台１１０に取り付けられる。このとき、取付部材１２０の固定板１２１は、横向きに開口する嵌合溝１１６に嵌っているので、上向きの力（引抜力）に対する抵抗力が高い。また、取付部材１２０を土台１１０に取り付ける際には、嵌合溝１１６，１１６がガイドになるので、その位置決めが容易になるとともに、精度よく取り付けることができ、結果としてひずみの少ない建築物を構築することができる。
【００６５】
次に、土台廻りの構造の一例を、図１４（ｃ）参照して詳細に説明する。図１４（ｃ）に示す土台廻りの構造は、洋室１と屋外との境界部におけるものであり、図２のＢ２−Ｂ２断面図である。
【００６６】
土台１１０には、洋室１側の張出部１１５に大引４１が載置されている。また、屋外側の張出部１１５に壁面材６３が載置され、その下端部が土台１１０の側面（側板１１２）にラグスクリューｂ７により固定されている。なお、壁面材６３は、土台１１０の張出部１１５に載置するだけでその高さ方向の位置決めがなされるので、その取付作業が容易である。
【００６７】
土台１１０の上面に取付部材１２０が取り付けられ、取付部材１２０の取付板１２２に筋交３４が固定されている。なお、筋交３４は、その側面が取付板１２２の側面に当接した状態でラグスクリューｂ６により取付板１２２に固定されている。また、図１３に示すように、通し柱３１、管柱３２および間柱３３の下端部には、スリットが形成され、取付板１２２に外挿された状態で固定される。さらに、取付板１２２には、壁面材６２の下端部が受け木５２を介してラグスクリューｂ２により固定されている。
【００６８】
また、洋室１側では、壁面材６２の下端部に沿って根太４２が配設され、ラグスクリューｂ３により大引４１に固定されている。また、根太４２の上面には合板７３と床仕上材７４とが積層されている。なお、図示は省略するが、合板７３は根太４２に固定されている。
【００６９】
＜変形例２＞
前記した変形例１の取付部材１２０に替えて、図１５および図１６に示す取付部材１２５を土台１１０の上面に取り付けてもよい。
【００７０】
取付部材１２５は、アルミニウム合金製の押出形材からなり、固定板１２６と、この固定板１２６から立設する取付板１２７とで断面Ｌ字形状に形成されている。また、図１６に示すように、取付板１２７は、固定板１２６よりも若干幅が狭く形成されており、固定板１２６の側端部が土台１１０の嵌合溝１１６に嵌合可能になっている。
【００７１】
そして、土台１１０の嵌合溝１１６，１１６に取付部材１２５の固定板１２６の側端部分を嵌合することで、取付部材１２５が土台１１０に取り付けられ、ドリルビスなどで固定される。
【００７２】
このような土台廻りの構造は、取付部材１２５の固定板１２６が横向きに開口する嵌合溝１１６に嵌っているので、上向きの力（引抜力）に対する抵抗力が高い。また、取付部材１２５を土台１１０に取り付ける際には、嵌合溝１１６，１１６がガイドになるので、その位置決めが容易になるとともに、精度よく取り付けることができ、結果としてひずみの少ない建築物を構築することができる。
【００７３】
＜変形例３＞
図１７（ａ）（ｂ）に示す土台１３０および取付部材１４０で土台廻りの構造を構築してもよい。
【００７４】
土台１３０は、長尺のアルミニウム合金製の押出形材からなり、図１７（ｂ）に示すように、上板１３１、下板１３３と、これらを鉛直方向に連結する左右の側板１３２，１３２とで略矩形（長方形）断面に形成されている。また、土台１３０は、内部が中空であるため非常に軽量であり、さらに上板１３１と下板１３３とが中間部分において隔壁板１３４，１３４で連結されているので、鉛直荷重に強い断面構造となっている。
【００７５】
側板１３２には、その下端縁から水平に張り出す張出部１３５が土台１３０の長手方向に沿って形成されている。また、側板１３２の上端部が内側に窪んでおり、横向きに開口する嵌合溝１３６が形成されている。
【００７６】
取付部材１４０は、長尺のアルミニウム合金製の押出形材からなり、図１７（ａ）に示すように、固定板１４１と、この固定板１４１から立設する取付板１４２とで断面逆Ｔ字形状に形成されている。また、固定板１４１の側端部１４３は、下側に折り曲げられており、土台１３０の嵌合溝１３６に嵌合可能になっている。
【００７７】
そして、土台１１０の嵌合溝１３６，１３６に取付部材１４０の固定板１４１の側端部１４３を嵌合することで、取付部材１４０が土台１３０に取り付けられる。このとき、取付部材１４０の固定板１４１は、横向きに開口する嵌合溝１３６に嵌っているので、上向きの力（引抜力）に対する抵抗力が高い。また、取付部材１４０を土台１３０に取り付ける際には、嵌合溝１３６，１３６がガイドになるので、その位置決めが容易になるとともに、精度よく取り付けることができ、結果としてひずみの少ない建築物を構築することができる。
【００７８】
次に、土台廻りの構造の一例を、図１８を参照して詳細に説明する。ここで、図１８は洋室１と屋外との境界部における土台廻り構造を示す断面図であって、図１８（ａ）は図２のＢ２−Ｂ２断面図、図１８（ｂ）は図２のＤ２−Ｄ２断面図である。
【００７９】
図１８（ａ）に示す土台１３０には、洋室１側の張出部１３５に大引４１が載置されている。また、屋外側の張出部１３５に壁面材６３が載置され、その下端部が土台１３０の側面（側板１３２）にラグスクリューｂ７により固定されている。
【００８０】
土台１３０の上面に取付部材１４０が取り付けられ、取付部材１４０の取付板１４２に筋交３４が固定されている。なお、筋交３４は、取付板１４２の側面に当接した状態でラグスクリューｂ６により取付板１４２に固定されている。また、図示は省略するが、通し柱３１、管柱３２および間柱３３の下端部には、スリットが形成され、取付板１４２に外挿された状態で固定される。さらに、取付板１４２には、壁面材６２の下端部が受け木５２を介してラグスクリューｂ２により固定されている。
【００８１】
また、洋室１側では、壁面材６２の下端部に沿って根太４２が配設され、ラグスクリューｂ３により大引４１に固定されている。また、根太４２上に合板７３と床仕上材７４とが積層されている。なお、図示は省略するが、合板７３は根太４２に固定されている。
【００８２】
図１８（ｂ）に示す土台１３０には、洋室１側の張出部１３５に根太受材４４が取り付けられている。根太受材４４は、土台１３０の側板１３２に当接する垂直板４４ａと、この垂直板４４ａの上端から水平に張り出す水平板４４ｂとから構成されている。また、屋外側の張出部１３５に壁面材６３が載置され、その下端部が土台１３０の側面（側板１３２）にラグスクリューｂ７により固定されている。
【００８３】
土台１３０の上面に取付部材１４０が取り付けられ、取付部材１４０の取付板１４２に筋交３４が固定されている。なお、筋交３４は、取付板１４２の側面に当接した状態でラグスクリューｂ６により取付板１４２に固定されている。また、図示は省略するが、通し柱３１、管柱３２および間柱３３の下端部には、スリットが形成され、取付板１４２に外挿された状態で固定される。さらに、取付板１４２には、壁面材６２の下端部が受け木５２を介してラグスクリューｂ２により固定されている。
【００８４】
根太受材４４の水平板４４ｂの上面に、土台１３０と直交する方向に根太４２が載置され、ラグスクリューｂ３により根太受材４４に固定されている。すなわち、根太４２の端部は、根太受材４４を介して張出部１３５に支持されている。
また、根太４２上に合板７３と床仕上材７４とが積層されている。
【００８５】
＜変形例４＞
さらに、図１９（ａ）（ｂ）に示す土台１５０と取付部材１６０とで土台廻りの構造を構築してもよい。
【００８６】
土台１５０は、長尺のアルミニウム合金製の押出形材からなり、略矩形（長方形）断面に形成されている。
【００８７】
取付部材１６０は、アルミニウム合金製の押出形材からなり、図１９（ａ）（ｂ）に示すように、固定板１６１と、この固定板１６１の端部から立設する取付板１６２とで断面略Ｌ字形状に形成されている。また、固定板１６１は、その中央部が下側に窪んでおり、この窪み部分にラグスクリューｂ１０を打ち込んで土台１５０に固定されている。
【００８８】
そして、取付部材１６０の固定板１６１の上面に間柱３３（あるいは通し柱３１、管柱３２）を載置し、取付板１６２からラグスクリューｂ１１を間柱３３に打ち込んで、間柱３３を土台１５０に立設固定する。
【００８９】
＜変形例５＞
図２０（ａ）に示す土台１７０および取付部材１８０で土台廻りの構造を構築してもよい。
【００９０】
土台１７０は、長尺のアルミニウム合金製の押出形材からなり、図２０（ａ）に示すように、上板１７１、下板１７３と、これらを鉛直方向に連結する左右の側板１７２，１７２とで略矩形（長方形）断面に形成されている。また、上板１７１と下板１７３とが中間部分において隔壁板１７４，１７４で連結されているので、鉛直荷重に強い断面構造となっている。
【００９１】
側板１７２には、その下端縁から水平に張り出す張出部１７５が土台１７０の長手方向に沿って形成されている。また、側板１７２の上端部が内側に折り曲げられて段部１７６が形成されている。
【００９２】
取付部材１８０は、長尺のアルミニウム合金製の押出形材からなり、固定板１８１と、この固定板１８１から立設する取付板１８２とで断面略Ｌ字形状に形成されている。また、固定板１８１は、土台１７０の上板１７１に当接する水平片（水平面）１８３と、この水平片１８３の端部から垂下する垂直片（垂直面）１８４とからなる。すなわち、固定板１８１は、土台１７０の側面に当接する垂直面と土台１７０の上面に当接する水平面とを有する。
【００９３】
取付部材１８０を土台１７０に取り付ける場合には、土台１７０の上面に取付部材１８０の固定板１８１を載置し、その垂直片１８４を土台１７０の段部１７６に当接させ、垂直片１８４から土台１７０の側板１７２の段部１７６にラグスクリューｂ１２を打ち込むとともに、水平片１８３から土台１７０の上板１７１にラグスクリューｂ１３を打ち込めばよい。
【００９４】
そして、取付部材１８０の取付板１８２に筋交３４の側面を当接させた状態で、取付板１８２側からラグスクリューｂ１４を筋交３４に打ち込んで筋交３４を土台１５０に固定する。また、図示は省略するが筋交３４に替えて合板やパネル材などの壁面材を固定してもよい。
【００９５】
このように、取付部材１８０は、上向きの力（引抜力）に対して、それぞれ異なる方向に打ち込まれたラグスクリューｂ１２、ｂ１３により抵抗するので、その抵抗力が高い。また、取付部材１８０を土台１７０に取り付ける際には、固定板１８１の垂直片１８４を土台の側面に当接させることでその位置決めがなされるので、取付精度が高く、結果としてひずみの少ない建築物を構築することができる。
【００９６】
また、図２０（ｂ）に示す土台１７０’と取付部材１８０’とによる土台廻り構造のように、土台１７０’の上板１７１の中央部に凹溝１７７を形成するとともに、取付部材１８０’の取付板１８１を下方に延設して凸条１８５を形成してもよい。
【００９７】
このようにすると、取付部材１８０’を土台１７０’に取り付ける際に、凸条１８５を土台１８０’の上板１７１に形成された凹溝１７７に係合させるだけで、位置決めがなされるので、施工が容易で、かつ、取付誤差もない。
【００９８】
＜変形例６＞
また、図２１に示すように、大引４１の端部に接続部材４５を取り付けてもよい。
【００９９】
接続部材４５は、土台１１０の側面に当接する当接板４５ａと、当接板４５ａから側方に張り出すとともに外面が大引４１の内面に当接する張出板４５ｂ，４５ｂとから構成される。また、接続部材４５は、大引４１の長手方向にスライド可能に取り付けられている。すなわち、大引４１の長さを調節することができる。
【０１００】
そして、大引４１を土台１１０に取り付ける場合には、接続部材４５を大引４１の長手方向にスライドさせて大引４１の長さを調節したうえで、接続部材４５の当接板４５ａの下端を土台１１０の張出部１１５に載置し、当接板４５ａを土台１１０の側面に固定すればよい。
【０１０１】
このように、大引４１の端部に接続部材４５を取り付けることで、施工誤差を吸収することができ、施工が容易になる。
【０１０２】
＜変形例７＞
前記した建築物では、土台と、その上面に取り付けた取付部材とで土台廻りの構造を構築したが、これに限定されることはなく、例えば、図２２に示すように、前記した取付部材と同様の機能を発揮する取付部１８６が一体に形成された土台１８０で土台廻りの構造を構築してもよい。
【０１０３】
土台１８０は、長尺のアルミニウム合金製の中空押出形材からなり、図２２に示すように、上板１８１および下板１８３と、これらを鉛直方向に連結する左右の側板１８２，１８２と、上板１８１の中間部分と下板１８３の中間部分とを鉛直方向に連結する隔壁板１８４，１８４とを備えて構成されている。また、土台１８０の上面（上板１８１）には、その長手方向に沿って取付部１８６が一体に形成されている。
【０１０４】
上板１８１および下板１８３には、基礎Ｋから突出するアンカーボルトｂ１を挿通するためのボルト挿通孔（図示せず）が適宜な位置に形成されている。なお、図２３（ｂ）に示すように、上板１８１の隔壁板１８４，１８４間の肉厚が、その他の部位の肉厚よりも厚くされている。
【０１０５】
側板１８２の下端縁には、図２３（ｂ）に示すように、その側方へ水平に張り出す張出部１８５が土台１８０の長手方向に沿って形成されている。すなわち、土台１８０の両側面に長手方向に沿って張出部１８５，１８５が形成されている。
【０１０６】
取付部１８６は、図２２に示すように、板状を呈し、土台１８０の長手方向に沿って形成されているが、アンカーボルトｂ１が突出する部分は、切除されている。また、図２３（ｂ）に示すように、取付部１８６の側面は、鉛直面になっている。
【０１０７】
土台１８０を基礎Ｋに固定するには、図２２に示すように、基礎Ｋの上面に適宜な間隔で土台スペーサＳを配置したうえで、土台１８０の上板１８１および下板１８３のボルト挿通孔にアンカーボルトｂ１を挿通しつつ、下板１８３を土台スペーサＳの上面に載置し、上板１８１から突出したアンカーボルトｂ１をナットＮで締結すればよい。
【０１０８】
土台１８０（上板１８１）の上面には、編成材からなる壁面材６４が立設される。この壁面材６４の下端部分は、取付部１８６の側面にラグスクリューやドリルビス等により固定される。また、壁面材６４の外装材６６側の面には、断熱材６５が接着材や固着具等により貼着される。
【０１０９】
壁面材６４を土台１８０の上面に立設するには、壁面材６４の下端部分の側面を取付部１８６の屋内側の側面に当接させつつ、壁面材６４を上板１８１の上面に載置し、かかる状態を保ちつつ取付部１８６の屋外側の側面からラグスクリューやドリルビス等を打ち込めばよい（図２３（ｂ）参照）。
【０１１０】
そして、このような土台１８０を使用すると、壁面材６４の下端部分を取付部１８６に沿って載置するだけでその位置決めがなされるので、その取付作業が非常に容易になる。さらに、取付作業中に壁面材６４が左右にずれることもないため、取付精度が高く、結果としてひずみの少ない建築物を構築することができる。
【０１１１】
なお、図示は省略するが、土台１８０に筋交を立設する場合も、その下端部分を取付部１８６に沿って載置するとともに、当該下端部分を取付部１８６に固定すればよい。
【０１１２】
（横架材の接続構造）
次に、本発明の実施形態に係る横架材の接続構造を説明する。
本実施形態に係る横架材の接続構造は、図２２に示すように、構造部材たる土台１８０の側面に固定される接続部材４６と、この接続部材４６を介して土台１８０に接続される横架材たる大引４１とを備えて構成されており、大引４１は、その端部を接続部材４６に覆い被せた状態で接続部材４６に対して固定される。
【０１１３】
つまり、土台１８０（側板１８２）の側面には、図２３（ａ）（ｂ）に示すように、大引４１が接続される。本例では側板１８２の側面の大引取付位置に接続部材４６を予め固定しておく（図２２参照）。大引４１は、この接続部材４６に支持固定される。なお、図２３（ａ）では、壁面材６４、断熱材６５および外装材６６の図示を省略している。
【０１１４】
接続部材４６は、アルミニウム合金製の中空押出形材を、その押出方向に沿って適宜な長さで切断したものであり、図２２に示すように、土台１８０の側面（側板１８１）にラグスクリューやドリリングタッピングねじ等により固定される当接板４６ａと、この当接板４６ａに垂設された一対の張出板４６ｂ，４６ｂと、張出板４６ｂ，４６ｂの先端を連結する連結板４６ｃとを備えている。接続部材４６の張出板４６ｂ，４６ｂと連結板４６ｃとで形成される断面コ字形の部位は、大引４１の内部に嵌挿可能である。つまり、接続部材４６は、図２３（ａ）に示すように、大引４１の内部に挿入され、張出板４６ｂ，４６ｂの外面が大引４１の内部の側面に当接し、図２３（ｂ）に示すように、張出板４６ｂ，４６ｂおよび連結板４６ｃの上端面が大引４１の内部の上面に当接する。
【０１１５】
また、接続部材４６は、図２３（ｂ）に示すように、その下端面を土台１８０の張出部１８５に載せ置いたときに、その上端面が土台１８０の上面から大引４１の肉厚分だけ下方に位置するような高さ寸法に設定されている。一方、大引４１は、その下面を土台１８０の張出部１８５に載せ置いたときに、その上面が土台１８０の上面と面一になるような高さ寸法に設定されている（図２２参照）。これにより大引４１の上面と土台１８０の上面とが面一になる。
【０１１６】
大引４１は、図２２に示すように、断面中空の押出形材からなり、且つ、その端部の下面に接続部材４６を挿入可能な開口部が形成されている。つまり、大引４１は、角パイプのアルミニウム押出形材で形成されており、その底板４１ｂの端部部分４１ｃが切除されている。このように、底板４１ｂの端部部分４１ｃ（図２２参照）が切除されているので、大引４１を接続部材４６の上方から降ろすと、切除された端部部分４１ｃを通して接続部材４６が大引４１内に入り、その結果大引４１が接続部材４６に支持される。なお、図２３（ａ）（ｂ）に示すように、大引４１を接続部材４６に支持せた後に、大引４１をラグスクリューやドリリングタッピングねじ等にて接続部材４６に固定する。
【０１１７】
なお、接続部材４６は、ラグスクリューやドリリングタッピングねじ等を打ち込むまでは大引４１の長手方向にスライドさせることができるので、大引４１の寸法誤差を吸収可能である。
【０１１８】
そして、本実施形態に係る横架材の接続構造によると、接続部材４６の上端面（つまり、張出板４６ｂ，４６ｂの上端）に大引４１の内部の上面が載置されることになるので、鉛直荷重に対して高い抵抗力を発揮することになる。つまり、接続部材４６に大引４１の底面を支持する底板を設けなくとも、大引４１を確実に支持することが可能となり、さらに、底板が不要であるが故に接続部材の簡略化を図ることが可能となる。
【０１１９】
また、本実施形態に係る横架材の接続構造によると、接続部材４６の外面（つまり、張出板４６ｂの外側の側面）が大引４１の内部の側面に当接しているので、大引４１の横方向への移動が拘束されることになる。つまり、この接続構造は、大引４１の長手方向に直交する方向に作用する水平荷重に対しても高い抵抗力を発揮することになる。
【０１２０】
さらに、本実施形態に横架材の接続構造によると、接続部材４６の構成が簡略であるが故に、製作コストの低廉化を図ることが可能となる。
【０１２１】
また、接続部材４６についてみると、両張出板４６ｂ，４６ｂの先端同士が連結板４６ｃで連結されているので、大引４１の長手方向に直交する方向に作用する水平荷重に対しても高い抵抗力を発揮する。
【０１２２】
また、本実施形態に係る横架材の接続構造においては、大引４１と接続部材４６とをアルミニウム合金製の押出形材で構成したので、大引４１あるいは接続部材４６の製造コストの低廉化を図ることが可能となり、さらに、強度の割に軽いアルミニウム合金製の押出形材であるが故に、現場での取り回しが容易になる。しかも、アルミニウム合金で構成された大引４１および接続部材４６は、木材で構成されたものと異なり、白蟻の食害を受けず、湿気の多い床下空間に面していても腐朽しないため、耐久性の高い建築物を構築することができる。さらに、加工精度が高く、断面寸法の経年変化もないため、土台１８０と大引４１の接続部分にひずみを生じさせることもない。
【０１２３】
なお、図２２および図２３に示す土台廻りの構造は、屋内と屋外との境界におけるものであるため、断熱材６５の外面が外装材６６で覆われているが、このような構成に限定されることはなく、間取りに合わせて適宜な土台回り構造に変更できることは言うまでもない。
【０１２４】
また、接続部材４６の構成も図示のものに限定されることはない。例えば、図２４（ａ）（ｂ）に示す構成のものであっても差し支えない。
【０１２５】
図２４（ａ）に示す接続部材４６’は、アルミニウム合金製の押出形材を、その押出方向に沿って適宜な長さで切断したものであり、土台１８０の側面（側板１８１）にラグスクリューやドリリングタッピングねじ等により固定される当接板４６ａと、この当接板４６ａに垂設された一対の張出板４６ｂ，４６ｂとを備えている。
【０１２６】
このような接続部材４６’を使用して構成された横架材の接続構造であっても、接続部材４６’の上端面に大引４１の内部の上面が載置されることになるので、鉛直荷重に対して高い抵抗力を発揮することになり、接続部材４６’の外面に大引４１の内部の側面が当接することになるので、大引４１の横方向への移動が拘束されることになる。つまり、この接続構造は、大引４１の長手方向に直交する方向に作用する水平荷重に対しても高い抵抗力を発揮することになる。
【０１２７】
また、図２４（ｂ）に示す接続部材４６”は、アルミニウム合金製の押出形材を、その押出方向に沿って適宜な長さで切断したものであり、土台１８０の側面（側板１８１）にラグスクリューやドリリングタッピングねじ等により固定される一対の当接板４６ｄ，４６ｄと、各当接板４６ａに垂設された一対の張出板４６ｂ，４６ｂと、この張出板４６ｂ，４６ｂの先端同士を連結する連結板４６ｃとを備えている。
【０１２８】
このような接続部材４６”を使用して構成された横架材の接続構造であっても、接続部材４６”の上端面に大引４１の内部の上面が載置されることになるので、鉛直荷重に対して高い抵抗力を発揮することになり、接続部材４６”の外面に大引４１の内部の側面が当接することになるので、大引４１の横方向への移動が拘束されることになる。しかも、接続部材４６の両張出板４６ｂ，４６ｂの先端同士が連結板４６ｃで連結されているので、大引４１の長手方向に直交する方向に作用する水平荷重に対しても高い抵抗力を発揮することになる。
【０１２９】
なお、前記した実施形態では、接続部材４６（あるいは、接続部材４６’、接続部材４６”）の外面が大引４１の内部の側面に当接する場合を例示したが、作用する荷重の向きや大きさ等によっては、接続部材４６の外面が大引４１の内部の側面に当接していなくてもよい。この場合でも、接続部材４６の上端面が大引４１の内部の上面に当接していれば、鉛直荷重に対しては高い抵抗力を発揮することになる。
【０１３０】
また、前記した実施形態では、押出形材で接続部材４６を形成したが、例えば、鋳造により接続部材４６を形成してもよい。つまり、前記した実施形態では、板状の要素（当接板４６ａ、張出板４６ｂ、連結板４６ｃ）を組み合わせて構成した断面中空の接続部材４６を例示したが、これに限定されることはなく、例えば、図示は省略するが、内部を密実にした接続部材であっても差し支えない。
【図面の簡単な説明】
【０１３１】
【図１】実施形態に係る建築物の軸組の一例を示す斜視図である。
【図２】図１の平面図である。
【図３】実施形態に係る建築物の土台廻り構造を示す斜視図であって、土台と取付部材とを示す斜視図である。
【図４】（ａ）は取付部材の断面図、（ｂ）は土台の断面図である。
【図５】実施形態に係る建築物の土台廻り構造を示す斜視図であって、大引および柱材の取付状態を示す斜視図である。
【図６】同じく、筋交の取付状態を示す斜視図である。
【図７】（ａ）は図５の拡大斜視図、（ｂ）は大引を示す斜視図である。
【図８】実施形態に係る建築物の土台廻り構造を示す斜視図であって、壁面材の取付状態を示す斜視図である。
【図９】同じく、床仕上材の取付状態を示す斜視図である。
【図１０】（ａ）図２のＡ−Ａ断面図、（ｂ）は洋室と和室との境界に配設された土台廻り構造の他の例を示す断面図である。
【図１１】（ａ）は図２のＢ１−Ｂ１断面図、（ｂ）は図２のＢ２−Ｂ２断面図である。
【図１２】（ａ）は図２のＤ１−Ｄ１断面図、（ｂ）は図２のＥ−Ｅ断面図である。
【図１３】実施形態に係る建築物の他の土台廻り構造を示す斜視図である。
【図１４】（ａ）は図１３に示す取付部材の断面図、（ｂ）は図１３に示す土台の断面図、（ｃ）は図１３の断面図である。
【図１５】実施形態に係る建築物の他の土台廻り構造を示す斜視図である。
【図１６】図１５の断面図である。
【図１７】（ａ）は取付部材の他の例を示す断面図、（ｂ）は土台の他の例を示す断面図である。
【図１８】図１７（ａ）（ｂ）に示す取付部材と土台とを使用した場合における土台廻りの構造の断面図であって、（ａ）は図２のＢ２−Ｂ２断面図、（ｂ）は図２のＤ２−Ｄ２断面図である。
【図１９】（ａ）は実施形態に係る建築物の他の土台廻り構造を示す斜視図、（ｂ）は（ａ）の側面図である。
【図２０】（ａ）（ｂ）は実施形態に係る建築物の他の土台廻り構造を示す断面図である。
【図２１】実施形態に係る建築物の他の土台廻り構造を示す斜視図である。
【図２２】本発明に係る横架材の接続構造を示す斜視図である。
【図２３】（ａ）は土台と大引の接続部分を示す平面図、（ｂ）は（ａ）のＸ−Ｘ断面図である。
【図２４】（ａ）（ｂ）は本発明に係る横架材の接続構造の他の形態を示す斜視図である。
【符号の説明】
【０１３２】
１８０    土台（構造部材）
４１      大引（横架材）
４６      接続部材
４６ａ    当接板
４６ｂ    張出板
４６ｃ    連結板
【図１】
2004339923.tif 000003
【図２】
2004339923.tif 000004
【図３】
2004339923.tif 000005
【図４】
2004339923.tif 000006
【図５】
2004339923.tif 000007
【図６】
2004339923.tif 000008
【図７】
2004339923.tif 000009
【図８】
2004339923.tif 000010
【図９】
2004339923.tif 000011
【図１０】
2004339923.tif 000012
【図１１】
2004339923.tif 000013
【図１２】
2004339923.tif 000014
【図１３】
2004339923.tif 000015
【図１４】
2004339923.tif 000016
【図１５】
2004339923.tif 000017
【図１６】
2004339923.tif 000018
【図１７】
2004339923.tif 000019
【図１８】
2004339923.tif 000020
【図１９】
2004339923.tif 000021
【図２０】
2004339923.tif 000022
【図２１】
2004339923.tif 000023
【図２２】
2004339923.tif 000024
【図２３】
2004339923.tif 000025
【図２４】
2004339923.tif 000026